(57)【要約】【課題】エレクトロクロミック表示装置において、過消色を防止することができるエレクトロクロミック表示装置及びそのような表示装置に用いられる表示駆動装置を提供すること。【解決手段】表示セグメントに定電流を印加することにより、表示セグメントを消色駆動する際に、定電流を印加するための定電流ドライバ２０−３の出力を電圧検出回路２０−４によって検出し、電圧検出回路２０−４の出力が基準値電圧Ｖｂを越えた場合に、消色を完了させるための追加電流を印加した後で消色を終了させる。これにより、自然消色が生じていた後に消色駆動を行っても過消色となることがない。【選択図】      図１
2007286570.tif 000002
【特許請求の範囲】
【請求項１】
電解液と、前記電解液に電荷を注入するための電極と、を有し、酸化還元反応により前記電極を介して前記電解液に電荷が注入されることにより発色し、前記電解液に前記電荷と逆極性の電荷が注入されることにより消色する少なくとも１つの表示部が配置された表示手段と、
前記発色および消色の際、定電流を出力し、前記表示部の電極に該定電流を印加して前記電解液に電荷を注入する少なくとも１つの定電流印加手段と、
前記定電流印加手段による前記定電流の印加によって前記表示部に発生する電圧値を検出する電圧検出手段と、
前記消色の際、前記電圧検出手段により検出される前記電圧値が予め設定された基準値を越え、前記定電流印加手段より消色を完了させるための追加電流を印加した後、前記定電流印加手段による印加を終了させる制御手段と、
を具備することを特徴とするエレクトロクロミック表示装置。
【請求項２】
前記定電流印加手段より前記表示部に印加する前記定電流の電流値を、当該表示部の電極の面積に比例した値にする電流値設定手段を更に備えることを特徴とする請求項１に記載のエレクトロクロミック表示装置。
【請求項３】
前記制御手段は、前記定電流印加手段より前記追加電流を印加する際、前記定電流印加手段を所定の一定時間だけ動作させることを特徴とする請求項１に記載のエレクトロクロミック表示装置。
【請求項４】
前記制御手段は、前記定電流印加手段から印加する前記追加電流の電流値を、前記消色の際に前記表示部の電極に印加される前記定電流の電流値以下の値に設定する手段を備えることを特徴とする請求項１に記載のエレクトロクロミック表示装置。
【請求項５】
前記追加電流の電流値は、漸次減少するように設定されることを特徴とする請求項４に記載のエレクトロクロミック表示装置。
【請求項６】
前記制御手段は、前記定電流印加手段より前記追加電流を印加する際に前記定電流印加手段を所定時間だけ動作させ、
前記所定時間は、前記発色の際に前記定電流印加手段より前記表示部に注入される電荷量と前記消色の際に前記表示部に注入される電荷量とが等しくなる時間に設定されることを特徴とする請求項１に記載のエレクトロクロミック表示装置。
【請求項７】
前記制御手段は、前記定電流印加手段より前記追加電流を印加する際に前記定電流印加手段を所定時間だけ動作させ、
前記所定時間は、前記消色の終了時に前記電圧検出手段で検出される電圧値が所定の電圧値となる時間に設定されることを特徴とする請求項１に記載のエレクトロクロミック表示装置。
【請求項８】
前記表示部は所定の表示パターンを形成するための表示セグメントであって、前記表示手段に複数配置され、
前記基準値は前記表示セグメント毎に設定されていることを特徴とする請求項１に記載のエレクトロクロミック表示装置。
【請求項９】
前記基準値は、前記消色の際、前記定電流の印加期間中の前記表示部の抵抗値変化が少ない期間において該表示部に発生する電圧値に基づいて設定されることを特徴とする請求項１に記載のエレクトロクロミック表示装置。
【請求項１０】
前記基準値は、前記表示部の抵抗値変化が少ない期間において該表示部に発生する前記電圧値を所定数倍した値に設定されることを特徴とする請求項９に記載のエレクトロクロミック表示装置。
【請求項１１】
前記基準値は、前記表示部の抵抗値変化が少ない期間において該表示部に発生する前記電圧値に所定の値を加算することにより設定されることを特徴とする請求項９に記載のエレクトロクロミック表示装置。
【請求項１２】
前記基準値は、前記消色がなされるたびに設定されることを特徴とする請求項８乃至１１のいずれか１つに記載のエレクトロクロミック表示装置。
【請求項１３】
前記基準値は、前記消色が所定回数なされるたびに設定されることを特徴とする請求項８乃至１１のいずれか１つに記載のエレクトロクロミック表示装置。
【請求項１４】
電解液と、前記電解液に電荷を注入するための電極と、を有し、酸化還元反応により前記電極を介して前記電解液に電荷が注入されることにより発色し、前記電解液に前記電荷と逆極性の電荷が注入されることにより消色する少なくとも１つの表示部が配置された表示手段の表示駆動を行う表示駆動装置であって、
前記発色及び消色の際、定電流を出力し、前記表示部の電極に該定電流を印加して前記電解液に電荷を注入する少なくとも１つの定電流印加手段と、
前記定電流印加手段による前記定電流の印加によって前記表示部に発生する電圧値を検出する電圧検出手段と、
前記消色の際、前記電圧検出手段により検出される前記電圧値が予め設定された基準値を越え、前記定電流印加手段より消色を完了させるための追加電流を印加した後、前記定電流印加手段による印加を終了させる制御手段と、
を具備することを特徴とする表示駆動装置。
【請求項１５】
前記定電流印加手段より前記表示部に印加する前記定電流の電流値を、当該表示部の電極の面積に比例した値にする電流値設定手段を更に備えることを特徴とする請求項１４に記載の表示駆動装置。
【請求項１６】
前記制御手段は、前記定電流印加手段より前記追加電流を印加する際、前記定電流印加手段を所定の一定時間だけ動作させることを特徴とする請求項１４に記載の表示駆動装置。
【請求項１７】
前記制御手段は、前記定電流印加手段から印加する前記追加電流の電流値を、前記消色の際に前記表示部の電極に印加される前記定電流の電流値以下の値に設定する手段を備えることを特徴とする請求項１４に記載の表示駆動装置。
【請求項１８】
前記追加電流の電流値は、漸次減少するように設定されることを特徴とする請求項１７に記載の表示駆動装置。
【請求項１９】
前記制御手段は、前記定電流印加手段より前記追加電流を印加する際に前記定電流印加手段を所定時間だけ動作させ、
前記所定時間は、前記発色の際に前記定電流印加手段より前記表示部に注入される電荷量と前記消色の際に前記表示部に注入される電荷量とが等しくなる時間に設定されることを特徴とする請求項１４に記載の表示駆動装置。
【請求項２０】
前記制御手段は、前記定電流印加手段より前記追加電流を印加する際に前記定電流印加手段を所定時間だけ動作させ、
前記所定時間は、前記消色の終了時に前記電圧検出手段で検出される電圧値が所定の電圧値となる時間に設定されることを特徴とする請求項１４に記載の表示駆動装置。
【請求項２１】
前記基準値は、前記消色の際、前記定電流の印加期間中の前記表示部の抵抗値変化が少ない期間において該表示部に発生する電圧値に基づいて設定されることを特徴とする請求項１４に記載の表示駆動装置。
【請求項２２】
前記基準値は、前記消色がなされるたびに設定されることを特徴とする請求項２１に記載のエレクトロクロミック表示装置。
【請求項２３】
前記基準値は、前記消色が所定回数なされるたびに設定されることを特徴とする請求項２１に記載のエレクトロクロミック表示装置。
【発明の詳細な説明】
【技術分野】
【０００１】
本発明は、エレクトロクロミック表示装置及び表示駆動装置に関する。
【背景技術】
【０００２】
電解液に電荷を注入することで、酸化還元反応により電解液中の溶質が析出したり溶解したりする現象を利用した表示装置（以下、エレクトロクロミック表示装置と称する）が各種提案されている。例えば、ビスマス（Ｂｉ）を主原料として用いたエレクトロクロミック表示装置の場合は、酸化インジウム錫（ＩＴＯ）等の透明電極から電解液に負の電荷を注入すると、電解液中のＢｉイオンが還元されて透明電極上に析出し、その部分が黒く発色する。逆に、透明電極から電解液に正の電荷を注入すると、透明電極上に析出していたＢｉが酸化されて電解液中に溶解し、その部分が消色する。
【０００３】
この種のエレクトロクロミック表示装置においては、電解液に注入した電荷量によって析出する溶質の量が決まるので、表示部の面積が大きければ大きいほど多くの電荷を注入して析出させる溶質の量を多くしなければならない。
【０００４】
このように表示部の面積に応じた電荷を注入するために、従来は、矩形波の電圧パルスを印加したり、三角波、のこぎり波の電圧パルスを印加したりして電荷を注入するようにしている。例えば、特許文献１においては、矩形波の電圧パルスを表示部に印加することにより、発色及び消色を行っている。ここで、表示部の表示駆動を行う表示駆動装置から一定時間の矩形波パルスを表示部に印加した場合、表示部までの配線抵抗を無視できれば、発色時の表示部における抵抗値が表示面積に反比例することが知られている。また、消色時においても消色が完了するまでの間は、発色時と同様に抵抗値が表示面積に反比例することも知られている。したがって、一定電圧を一定時間印加すれば、表示面積にほぼ比例した量の電荷を注入することが可能である。
【０００５】
ところで、単純に一定量の電圧波形を印加する手法では、析出させる溶質の量と溶解させる溶質の量とのバランスを保ち続けることが困難であり、動作寿命が短いという問題がある。つまり、多数回の発色と消色を繰り返すと析出量と溶解量とのバランスが崩れ、析出が過多となって発色部分の一部が消えなくなったり、溶解が進みすぎて、電解液中の他の物質（例えばヨウ素等）が発生することによって電解液が変色したりするなどの不具合が発生しやすい。特に、発色工程から消色工程までの時間が長くなると、自然に消色が起こるために過消色が生じやくなる。
【０００６】
このような過消色の問題を解決するために、特許文献２においては、一定の電圧を印加して表示部に消色電流を流しているときに、その電流変化を検出して、電流値が一定値以下になったとき、即ち表示部の見かけの抵抗値が一定値以上となったときに消色駆動を終了する手法が提案されている。
【特許文献１】特開２０００−１４２２２３号公報
【特許文献２】特公平５−４６９５３号公報
【発明の開示】
【発明が解決しようとする課題】
【０００７】
消色の場合には、発色の場合と異なり、ある程度の消色が進むと、抵抗値が変化して電流が減少することが知られており、消色に必要な電荷量は発色のときと同程度の量であるので、電流の減少による電荷量の減少を補償するためには、消色の場合の電圧を発色の場合よりも高くするか、または電圧の印加時間を長くする必要がある。この際には、表示部と表示駆動装置との間の配線抵抗や回路間の接触抵抗等によって電圧降下が生じて流れる電流が大きく変化するので、印加電圧及び印加時間はこれらの影響を考慮して調整する必要がある。しかしながら、一般に配線抵抗や回路間における接触抵抗等の値はばらつきが大きく、これらの値を一定にするのは容易ではない。つまり、定電圧を印加する手法では、これら配線抵抗や接触抵抗等の影響を考慮して表示駆動を行うことが困難である。したがって、表示部に定電流を印加することで表示駆動を行う手法が考えられるが、上記特許文献２の手法は、電流値を検出し、その電流値が一定値以下となったときに定電圧を印加する手法であるので、定電流駆動方式に適用することが困難である。しかも、上記特許文献２の手法は電流値を検出する必要があるが、電流値の検出は電圧値の検出よりも精度が低く、回路上のコストも大きくなってしまう。
【０００８】
本発明は、上記の事情に鑑みてなされたもので、エレクトロクロミック表示装置において、過消色を防止することができるエレクトロクロミック表示装置及びそのような表示装置に用いられる表示駆動装置を提供することを目的とする。
【課題を解決するための手段】
【０００９】
上記の目的を達成するために、本発明の第１の態様によるエレクトロクロミック表示装置は、電解液と、前記電解液に電荷を注入するための電極と、を有し、酸化還元反応により前記電極を介して前記電解液に電荷が注入されることにより発色し、前記電解液に前記電荷と逆極性の電荷が注入されることにより消色する少なくとも１つの表示部が配置された表示手段と、前記発色および消色の際、定電流を出力し、前記表示部の電極に該定電流を印加して前記電解液に電荷を注入する少なくとも１つの定電流印加手段と、前記定電流印加手段による前記定電流の印加によって前記表示部に発生する電圧値を検出する電圧検出手段と、前記消色の際、前記電圧検出手段により検出される前記電圧値が予め設定された基準値を越え、前記定電流印加手段より消色を完了させるための追加電流を印加した後、前記定電流印加手段による印加を終了させる制御手段とを具備することを特徴とする。
【００１０】
また、上記の目的を達成するために、本発明の第２の態様による表示駆動装置は、電解液と、前記電解液に電荷を注入するための電極と、を有し、酸化還元反応により前記電極を介して前記電解液に電荷が注入されることにより発色し、前記電解液に前記電荷と逆極性の電荷が注入されることにより消色する少なくとも１つの表示部が配置された表示手段の表示駆動を行う表示駆動装置であって、前記発色および消色の際、定電流を出力し、前記表示部の電極に該定電流を印加して前記電解液に電荷を注入する少なくとも１つの定電流印加手段と、前記定電流印加手段による前記定電流の印加によって前記表示部に発生する電圧値を検出する電圧検出手段と、前記消色の際、前記電圧検出手段により検出される前記電圧値が予め設定された基準値を越え、前記定電流印加手段より消色を完了させるための追加電流を印加した後、前記定電流印加手段による印加を終了させる制御手段とを具備することを特徴とする。
【発明の効果】
【００１１】
本発明によれば、エレクトロクロミック表示装置及びそのような表示装置に用いられる表示駆動装置において、表示部の電極に定電流を印加して駆動し、消色の際、この印加した定電流によって表示部に発生する電圧が所定の基準値を越え、消色を完了させるための追加電流を印加した時点で消色動作を終了させることで過消色を防ぐことができる。
【発明を実施するための最良の形態】
【００１２】
以下、図面を参照して本発明の実施形態を説明する。  
［第１の実施形態］
図１は、本発明の第１の実施形態に係る表示駆動装置が適用されたエレクトロクロミック表示装置の構成を示すブロック図である。また、図２は、表示パネルの表示セグメントの配置例を示す図である。図１に示すエレクトロクロミック表示装置１は、表示パネル１０と、定電流印加回路２０と、セグメントプロファイルメモリ３０と、システムインターフェース４０とから構成されている。そして、本実施形態に係わるエレクトロクロミック表示装置においては、図１に示すように、表示パネル１０が複数の表示セグメントを有し、各表示セグメントに定電流印加回路２０より定電流を印加して駆動するものであり、特に、各表示セグメントに印加する電流の電流値を、セグメントプロファイルメモリ３０に記憶された値に基づいて、各表示セグメントの面積に比例した電流値に設定する構成を有している。
【００１３】
表示手段としての表示パネル１０はセグメント方式の表示パネルであり、表示部としての複数の表示セグメントが例えば図２に示すようにして配置されて構成されている。ここで、図２の例は、表示パネル１０を、アルファベットや数字等の表示パターンを表示するための表示パネルとして利用する際の表示セグメントの配置例であり、７個の表示セグメント（表示セグメント１０−１〜１０−７）が８字状に配置されている。なお、表示セグメントの形状、数、及びその配置は図２で示したものに限るものではなく、表示パネルとして要求される仕様等に応じて適宜変更することが可能である。
【００１４】
図３は、図２の表示セグメントの構成について説明するためのＡ−Ａ線断面図である。ここで、図２の断面図は表示セグメント１０−１の断面図であるが、他の表示セグメントの構成も図３で説明するものと基本的には同様である。  
図３に示すように、表示セグメントは、２枚の電極１０−１１と電極１０−１２とが平行配置され、これら電極１０−１１と電極１０−１２との間に電解液１０−１３が満たされ、これらが封止材１０−１４で封止されて構成されている。更に電極１０−１１の裏面には、表示セグメントを保護するためのガラス基板１０−１５が貼り付けられている。ここで、電極１０−１１は透明性を有する透明電極であり、例えば酸化インジウム錫（ＩＴＯ）電極が用いられる。また、電極１０−１２は、透明な電極でも不透明な電極でも良い。この電極１０−１２には、例えば銅（Ｃｕ）電極が用いられる。更に、電解液１０−１３は、例えばＢｉ、Ｃｕが溶解した電解液である。なお、ここで示した材料は一例であり適宜変更可能である。例えば、電解液に溶解させる溶質はＢｉに限らず銀（Ａｇ）等でも良い。さらに、金属だけでなく、ビオロゲン化合物のような有機物を用いることも可能である。また、ＢｉやＣｕを溶解させるための溶液も臭酸や塩酸、ヨウ素酸等、種々のものを用いることができる。更には、電極１０−１１と電極１０−１２との間の電解液１０−１３は、電解液を保持させたウエットケーキシートを用いるようにしても良い。
【００１５】
図３のような構成の表示セグメントに負の電荷を注入すると、電解液中のＢｉイオンが還元されて電極１０−１１上に析出する。これにより表示セグメントが黒く発色する。逆に、表示セグメントに正の電荷を注入すると、電極１０−１１上に析出していたＢｉが酸化されて電解液中に溶解する。これにより黒く発色していた表示セグメントが消色する。
【００１６】
定電流印加回路２０は表示パネル１０を構成する複数の表示セグメントの各々に対応して、表示セグメントの数だけ設けられ、各表示セグメントに定電流を印加することにより、表示セグメントを発色又は消色させるための電荷を注入する。ここで、図１に示すように定電流印加回路２０は、発色パルス発生器２０−１と、消色パルス発生器２０−２と、定電流ドライバ２０−３と、電圧検出回路２０−４とから構成されている。これら定電流印加回路２０の各回路及びその動作については後で詳しく説明する。
【００１７】
セグメントプロファイルメモリ３０は、各表示セグメントの面積の値、あるいは、各表示セグメントの面積に対応した適正な発色をさせるために必要な電流値指定データを、各表示セグメントに対応して記憶しておくためのメモリである。なお、以下においては、セグメントプロファイルメモリ３０に各表示セグメントの面積に対応した電流値指定データが記憶されているものとするが、各表示セグメントの面積の値が記憶され、例えば発色パルス発生器２０−１や消色パルス発生器２０−２において、対応する電流値指定データに変換する機能を備えるものであってもよい。そして、セグメントプロファイルメモリ３０は、システムインターフェース４０からのアドレス信号を受けて、そのアドレスに記憶された電流値指定データを、対応する表示セグメントに接続された定電流印加回路２０内の発色パルス発生器２０−１及び消色パルス発生器２０−２に出力する。なお、セグメントプロファイルメモリ３０はＥＰＲＯＭやフラッシュＲＯＭ等の不揮発性メモリであることが好ましい。セグメントプロファイルメモリ３０を不揮発性メモリで構成することで、回路の電源がオフされた場合であっても記憶内容を保持しておくことが可能である。
【００１８】
システムインターフェース４０は、図示しないＣＰＵからの表示パネル１０の表示又は非表示の指示を受けて、その指示に該当する表示セグメントを発色又は消色させる。このためにシステムインターフェース４０は、該当する定電流印加回路２０内の発色パルス発生器２０−１及び消色パルス発生器２０−２にパルス幅指定データを出力すると共に、発色又は消色させる表示セグメントに対応した電流値指定データが格納されているアドレスに対応するアドレス信号をセグメントプロファイルメモリ３０に出力する。
【００１９】
次に、定電流印加回路２０について更に詳しく説明する。  
図４は、消色パルス発生器２０−２を順序論理回路で構成した場合の回路ブロック図の一例である。図４に示すように、消色パルス発生器２０−２は、パルス幅レジスタ２０−２１と、電流値レジスタ２０−２２と、ＤＡコンバータ２０−２３と、ダウンカウンタ２０−２４と、アナログスイッチ２０−２５とから構成されている。
【００２０】
パルス幅レジスタ２０−２１は、システムインターフェース４０から消色パルスのパルス幅を指定するためのパルス幅指定データを受けて、そのデータを保持する。電流値レジスタ２０−２２は、セグメントプロファイルメモリ３０から各表示セグメントに対応する電流値指定データを受けて、そのデータを保持する。ＤＡコンバータ２０−２３は、電流値レジスタ２０−２２に保持された電流値指定データをアナログの電圧信号に変換する。
【００２１】
ダウンカウンタ２０−２４は、消色時にシステムインターフェース４０からＳＴＡＲＴパルスを受けてパルス幅レジスタに保持された値を読み出し、この値を一定時間毎にカウントダウンしながら、ＯＮ又はＯＦＦ信号をアナログスイッチ２０−２５に出力する。つまり、ダウンカウンタ２０−２４は、カウント値が０でないときにＯＮ信号を出力し、カウント値が０になったときにＯＦＦ信号を出力する。アナログスイッチ２０−２５はＤＡコンバータ２０−２３と正の電源＋Ｖとに接続され、ダウンカウンタ２０−２４からＯＮ信号を受けたときにＯＮしてＤＡコンバータ２０−２３の出力を定電流ドライバ２０−３に入力し、ＯＦＦ信号を受けたときに電圧値＋Ｖを定電流ドライバ２０−３に入力する。
【００２２】
このような構成により、ダウンカウンタ２０−２４がカウントを行っている間のみアナログスイッチ２０−２５がＯＮするので、結果としてＤＡコンバータ２０−２３で得られた電圧値及びパルス幅指定データで指定されたパルス幅を有する消色パルスが定電流ドライバ２０−３に入力される。そして、ダウンカウンタ２０−２４がカウントを終了した時点でアナログスイッチ２０−２５がＯＦＦして、電圧値＋Ｖが定電流ドライバ２０−３に入力される。
【００２３】
なお、図４は、消色パルス発生器２０−２の構成であるが、発色パルス発生器２０−１も消色パルス発生器２０−２とほぼ同様の回路構成で実現できる。ただし、発色パルス発生器２０−１においては、アナログスイッチに接続される電源を正の電源ではなく、負の電源−Ｖとする。発色パルス発生器２０−１においては、発色パルスのパルス幅を可変とすることで、表示セグメントを完全な発色状態と完全な消色状態のみでなく、その中間の状態で発色させることもできる。これにより、グレースケール表示が可能となる。
【００２４】
なお、発色パルス発生器２０−１及び消色パルス発生器２０−２の機能は、マイクロコンピュータ等の演算処理によって実現するようにしても良い。
【００２５】
図５は、定電流ドライバ２０−３及び電圧検出回路２０−４を構成する回路の一例を示す図である。また、図６は、定電流印加回路と表示セグメントとの間の配線抵抗について示す図である。定電流ドライバ２０−３は、演算増幅器２０−３１と、ＭＯＳトランジスタ２０−３２と、抵抗２０−３３とからなる負方向定電流印加手段と、演算増幅器２０−３４と、ＭＯＳトランジスタ２０−３５と、抵抗２０−３６とからなる正方向定電流印加手段とを備える。また、電圧検出回路２０−４は、例えばＡＤコンバータから構成されている。
【００２６】
図５において、演算増幅器２０−３１の非反転入力端子には発色パルス発生器２０−１からの出力（発色パルス又は−Ｖ）が入力される。そして、演算増幅器２０−３１の出力端子はＭＯＳトランジスタ２０−３２のゲートに接続され、ＭＯＳトランジスタ２０−３２のソースは演算増幅器２０−３１の反転入力端子と抵抗２０−３３の一端とに接続されている。更に、抵抗２０−３３の他端は負の電源−Ｖに接続されている。また、演算増幅器２０−３４の非反転入力端子には消色パルス発生器２０−２からの出力（消色パルス又は＋Ｖ）が入力される。また、演算増幅器２０−３４の出力端子はＭＯＳトランジスタ２０−３５のゲートに接続され、ＭＯＳトランジスタ２０−３５のソースは演算増幅器２０−３４の反転入力端子と抵抗２０−３６の一端とに接続されている。更に、抵抗２０−３６の他端は正の電源＋Ｖに接続されている。
【００２７】
また、ＭＯＳトランジスタ２０−３２及び２０−３５のドレインは共通に定電流ドライバ２０−３の出力端子に接続されている。そして、定電流ドライバ２０−３の出力端子は、図６に示すようにして表示セグメント１０−１に接続されると共に、電圧検出回路２０−４にも接続されている。なお図６の参照符号１０−１６で示す抵抗は、定電流ドライバ２０−３と表示セグメント１０−１との間の配線抵抗や接触抵抗等による抵抗である。
【００２８】
以下、定電流ドライバ２０−３の動作について説明する。なお、負方向定電流印加手段と正方向定電流印加手段とは入力される電圧の極性や出力される電流の方向が逆なだけで、基本的な動作は同じであるので、ここでは正方向定電流印加手段の動作のみについて説明する。
【００２９】
図５に示す構成において、表示セグメントの消色時には、演算増幅器２０−３１の非反転入力端子に消色パルス発生器２０−２からの消色パルスが入力される。この消色パルスの入力により、演算増幅器２０−３４の出力がＭＯＳトランジスタ２０−３５のゲートに印加され、ＭＯＳトランジスタ２０−３５がＯＮ状態となる。これにより、消色パルスの電圧値に応じた電流が、定電流ドライバ２０−３の出力端子から正の電源＋Ｖに向かって（即ち、表示セグメント１０−１から定電流ドライバ２０−３に向かって）流れる。またこの電流と定電流ドライバ２０−３に接続される負荷（表示セグメントの抵抗や配線抵抗等）とに応じて発生する電圧が電圧検出回路２０−４で検出される。電圧検出回路２０−４では検出された電圧が所定の基準値（基準値電圧）Ｖｂで２値化され、この２値化信号がシステムインターフェース４０を介して図示しないＣＰＵに入力される。ここで、基準値ＶｂはＣＰＵによって与えられる値である。
【００３０】
ここで、図５に示すように、正方向定電流印加手段が定電流ドライバを構成しているので、表示セグメント１０−１における電圧の変化等によらず、表示セグメント１０−１に印加される電流の量は一定となる。このようにして、表示セグメント１０−１に正の電荷が注入される。
【００３１】
また、消色パルス発生器２０−２から＋Ｖが入力された場合には、演算増幅器２０−３１の出力が０となるので、これに伴ってＭＯＳトランジスタ２０−３５がＯＦＦ状態となり、定電流ドライバ２０−３からの電流出力が０となる。
【００３２】
なお、負方向定電流印加手段に発色パルス発生器２０−１から発色パルスが入力された場合には、定電流ドライバ２０−３の出力端子から正の電源−Ｖに向かって（即ち、定電流ドライバ２０−３から表示セグメント１０−１に向かって）電流が流れることになる。
【００３３】
図７は、発色時及び消色時に、定電流印加回路２０から表示セグメントに印加される電流及びこの電流によって発生する電圧の変化を示すタイミングチャートである。また、図８は、後述する追加の消色の際に印加される定電流について示す図である。なお、図７及び図８においては図面上側を正方向、図面下側を負方向としている。
【００３４】
図７に示すように、パルス幅指定データによって指定されたパルス幅及び電流値指定データによって指定された負の定電流（表示セグメント１０−１から定電流ドライバ２０−３の方向の電流）パルスが印加されたときに、その印加電流×印加時間に相当する負の電荷が表示セグメントに注入され、発色が起きる。ここで、表示セグメントを適正に発色させるのに必要な電荷量は、ＡｇやＢｉを主原料とする電解液の場合は、約３０ｍＣ/ｃｍ２であるが、第１の実施形態では、表示セグメントに印加する電流の印加時間を可変とすることで表示セグメントに注入される電荷量を精確にコントロールすることが可能である。また、パルス幅指定データによって指定されたパルス幅及び電流値指定データによって指定された正の定電流（定電流ドライバ２０−３から表示セグメント１０−１の方向の電流）パルスが印加されたときに、その印加電流×印加時間に相当する正電荷が表示セグメントに注入され、消色が起きる。
【００３５】
ここで、発色時又は消色時に流す電流の量は、この電流によって表示セグメント１０−１に発生する電圧が、表示セグメントを発色又は消色させるために必要な電圧よりも高く、かつ表示セグメントが破壊しない限界の電圧である限界電圧よりも低くなるようにする。特に、消色時においては、消色がある程度進んだ時点で表示セグメントの抵抗値が増加して電圧が上昇してしまうので、限界電圧よりも低い基準値電圧Ｖｂを設定しておき、電圧検出回路２０−４は、表示セグメントの抵抗値が変化して電圧が基準値電圧Ｖｂを越えた時点（図７のｔ１が経過した時点）を検出する。
【００３６】
そして、このｔ１経過の時点では表示セグメントまだ完全な消色に到っていないので、ｔ１の後、所定時間ｔ２の間だけ追加の消色を行うようにする。ただし、ｔ２における追加の消色の際にも表示セグメントの抵抗値変化による電圧上昇が起こるので、図８に示すように、ｔ２の間の印加定電流値ｉ２は、消色開始からｔ１までに印加した定電流の値ｉ１よりも小さくすることがより好ましい。なお、これら電流値ｉ１及びｉ２は、共にセグメントプロファイルメモリ３０に記憶させておいても良い。この場合には、電圧検出回路２０−４の検出結果に応じてこれら電流値を適切に切り替えることで、図８に示すような定電流駆動を行うことが可能である。勿論セグメントプロファイルメモリ３０とは別の記憶装置に電流値ｉ１及びｉ２を記憶させるようにしても良い。また、電流検出回路２０−４の出力を消色パルス発生器２０−２に入力するようにし、消色パルス発生器２０−２のみでｔ２時間の追加の電流を流せるような消色パルスを発生させるようにしても良い。
【００３７】
図９は、図７と同様にして発色を行った後、自然消色が顕著に見られる程度の時間（数時間程度）経過した後に、消色を行ったときの電流と電圧の変化を示したタイミングチャートであり、図１０は、基準値電圧Ｖｂの設定手法について説明するための図である。
【００３８】
発色の実行から消色の実行までに長時間が経過しているときには、図７とは異なり、自然消色が起きている。この場合には、単に定電流を流してしまうと過消色となりやすい。過消色となると、電解液中の他の物質（例えばヨウ素等）が発生することによって電解液が変色したりするなどの不具合が発生しやすくなる。これに対し、抵抗値変化の起きる時点は発色度合いに応じて前になるので、第１の実施形態の手法を適用し、発色後、自然消色が顕著に見られる程度の時間（数時間程度）経過した後に消色を行った場合、消色を開始してから比較的短い時間ｔ１ｂで検出電圧値が基準値電圧Ｖｂを越える。結果、消色電流を流している時間が短くなり、過消色となる可能性を抑制することができる。
【００３９】
次に、基準値電圧Ｖｂの設定手法の例について図１０を参照して説明する。基準値電圧Ｖｂを設定する際には、まず任意の時間の発色を行って電解液中の溶質を析出させる。次に、表示セグメントに発生する電圧を電圧検出回路２０−４によって検出しながら消色を行い、抵抗値変化が少ない部分の電圧値（例えば、図１０の参照符号１００で示す部分）を検出する。また、この電圧値と共に、表示セグメントが破壊しない限界電圧を検出しておき、これら電圧の比や検出電圧のノイズ成分等の条件を元に、抵抗値変化が少ない部分の所定数倍を基準値電圧Ｖｂとする。なお、本出願人の実験においては、基準値電圧Ｖｂを抵抗値変化が少ない部分の電圧の１．１５倍程度に設定することが好ましいという結果となっている。
【００４０】
このような手法により、基準値電圧Ｖｂを表示セグメント毎に設定することができる。また、表示セグメントに発生する電圧は、表示セグメントまでの配線抵抗の影響が含まれた状態で検出される。したがって、上述のような手法で基準値Ｖｂを設定することにより、表示セグメント毎に配線抵抗を計算して基準値電圧を設定する必要もない。
【００４１】
なお、上記の例では、基準値Ｖｂを抵抗値変化が少ない部分の電圧値を所定数倍して設定しているが、抵抗値変化が少ない部分の電圧値に所定電圧値を加算するという手法によって設定しても良い。
【００４２】
上記の基準値電圧の設定は、例えば表示駆動装置に電源が投入された直後の初期設定の処理内で１回行うようにしても良い。しかしながら、表示セグメントの特性は、駆動履歴や温度等の周囲環境の変化等によって初期の状態から変化してしまう場合がある。その場合、基準値電圧もそれに合わせて変化させることが好ましい。したがって、基準値電圧は、消色を行う毎に設定することが好ましい。
【００４３】
図１１は、消色の度に基準値電圧を設定する場合の処理について示すフローチャートである。なお、このフローチャートの処理が開始される前に、発色が行われているものとする。また、限界電圧の値は、製造時等において検出されているものである。
【００４４】
まず、発色の後、図示しないＣＰＵは、消色開始の指示がなされたか否かを判定している（ステップＳ１）。この判定は、消色開始の指示がなされるまで行う。ステップＳ１の判定において、消色開始の指示がなされた場合には、消色を開始させる（ステップＳ２）。その後、電圧検出回路２０−４によって検出される電圧値の変化量が所定の変化量よりも少ないか否か、即ち電圧検出回路２０−４によって検出される電圧値が抵抗値変化の少ない部分に相当する部分の電圧値であるか否かを判定する（ステップＳ３）。ステップＳ３の判定において、電圧値が抵抗値変化の少ない部分に相当する部分の電圧値でない場合には消色を更に継続する。
【００４５】
一方、ステップＳ３の判定において、電圧値が抵抗値変化の少ない部分に相当する部分の電圧値となった場合には、そのときの電圧値を所定数倍する、或いはそのときの電圧値に所定電圧値を加算するという手法によって基準値電圧Ｖｂを設定する（ステップＳ４）。次に、電圧検出回路２０−４によって検出される電圧値が基準値電圧Ｖｂを越えたか否かを判定しながら（ステップＳ５）、更に消色を継続する。
【００４６】
ステップＳ５の判定において、電圧値が基準値電圧Ｖｂを越えた場合には、上述した追加の消色を行って（ステップＳ６）、消色を終了する。
【００４７】
このように基準値電圧の設定を消色のたびに行うことによって、表示セグメントの特性が、駆動履歴や温度等の周囲環境の変化等によって変化した場合でも、基準値電圧をそのとき表示セグメントの特性に合わせて設定できるので、的確に抵抗値の上昇箇所を判定することが可能となる。
【００４８】
なお、図１１のフローチャートでは、消色する毎に毎回、基準値電圧の設定を行う態様としたが、これに限らず、所定回数の消色毎に基準値電圧の設定を行うようにしても良い。
【００４９】
以上説明した第１の実施形態によれば、定電流駆動方式のエレクトロクロミック表示セグメントにおいて、自然消色後の消色駆動においても過消色となることを抑制することができる。また、表示セグメントの抵抗値が変化することによる電圧上昇によって表示セグメントが破壊することもなく、かつ消色後の追加の消色によって、消色の不足による色残り等も防ぐことができる。
【００５０】
［第２の実施形態］
次に、本発明の第２の実施形態について説明する。図１２は、第２の実施形態に係る表示駆動装置の定電流印加回路の構成を示すブロック図である。また、図１３は、第２の実施形態に係る表示駆動装置による発色時及び消色時の電流及び電圧の変化を示すタイミングチャートである。なお、第２の実施形態において第１の実施形態と同様の構成については第１の実施形態と同様の参照符号を付すことで説明を省略する。
【００５１】
図１２に示すように、第２の実施形態においては、定電流ドライバ２０−３の出力に更に電流検出回路２０−５が接続されている点が異なっている。この電流検出回路２０−５は定電流ドライバ２０−３の出力電流を検出し、検出した電流値を、システムインターフェース４０を介して図示しないＣＰＵに出力する。
【００５２】
以下、図１３を参照して第２の実施形態の表示駆動装置の動作について説明する。まず、発色に関しては図７と同様に行われる。その後に消色が行われるのであるが、第２の実施形態においては消色駆動を行う際には、電流検出回路２０−５によって定電流ドライバ２０−３の出力電流を検出し、その検出した値を逐次積算することで、消色の際に表示セグメントに注入される正電荷の量をリアルタイムで検出する。そして、電圧検出回路２０−４において表示セグメントの抵抗値変化による電圧上昇が検出された後は、検出電圧値が基準値電圧Ｖｂを越えないように印加定電流の値を漸次減少させながら追加の電流を流していく。これにより、表示セグメントにおいて発生する電圧が限界電圧を越えないように追加の消色を行うことができる。
【００５３】
ここで、追加の消色を行う時間ｔｅ２は、電圧上昇が検出された時点から、発色時の電荷量Ｓ＿ｗｒｉｔｅと消色時の電荷量Ｓ＿ｅｒａｓｅとが等しくなった時点までとする。つまり、発色時におけるｔｗの間の電荷量と、消色開始からｔｅ１までの電荷量とｔｅ１からｔｅ２までの電荷量（図１３の台形部１２０の面積）との和とが等しくなった時点で定電流の印加を終了する。
【００５４】
以上説明したような第２の実施形態によれば、第１の実施形態の効果に加え、消色時の注入電荷量を逐次検出するようにしているので、第１の実施形態よりも更に精確に発色時の電荷量と消色時の電荷量を制御することが可能である。
【００５５】
なお、発色時の電荷量と消色時の電荷量は必ずしも同じくする必要がなく、例えば発色時の電荷量：消色時の電荷量＝２：３のような一定に比率を保つように制御しても良い。
【００５６】
次に、第２の実施形態の変形例について説明する。この変形例では、発色時の電荷量を元に消色時の電荷量を決定する手法とは異なる手法で発色時の電荷量と消色時の電荷量とのバランスを保つようにする。この変形例においては、まず、初期の調整時において消色が完了したときの起電力を観測する。この際の消色時においても表示セグメントに発生する電圧が基準値電圧を越えないように印加電流を減少させて消色を行う。
【００５７】
このような消色を行うと、基準値電圧に達した後で追加の消色に必要な電荷量が観測できる。つまり、消色時には、定電流の印加時間を、基準値電圧に達した後に、表示セグメントに上記一定の起電力が発生するまでの時間に制御することにより、発色時の電荷量を検出しなくとも、発色と消色のバランスを保つことが可能である。つまり、この変形例は、電圧が基準値電圧に達した後の表示セグメントの状態が常に同じであると考えて、そこから追加で注入する電荷量を精確に制御することにより、発色時の電荷量と消色時の電荷量とのバランスを保つ手法である。
【００５８】
なお、この変形例では、一定の起電力としているが、発色と消色とのバランスが保たれるような状態であれば、起電力が０Ｖでも良い。
【００５９】
以上実施形態に基づいて本発明を説明したが、本発明は上記した実施形態に限定されるものではなく、本発明の要旨の範囲内で種々の変形や応用が可能なことは勿論である。例えば、上述した各実施形態はセグメント方式の表示パネルについて説明しているが、上述した各実施形態の手法はドットマトリクス方式の表示パネルに適用することもできる。ただし、ドットマトリクス方式の場合には個々の表示部の面積が等しいため、セグメントプロファイルメモリ３０は必ずしも必要ではなく、基準値電圧Ｖｂも表示セグメント毎に設定する必要がない。
【００６０】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６１】
【図１】本発明の第１の実施形態に係る表示駆動装置が適用されたエレクトロクロミック表示装置の構成を示すブロック図である。
【図２】表示セグメントの配置例を示す図である。
【図３】表示セグメントの構成について説明するための断面図である。
【図４】消色パルス発生器を順序論理回路で構成した場合の回路ブロック図の一例である。
【図５】定電流ドライバ及び電圧検出回路を構成する回路の一例を示す図である。
【図６】定電流印加回路と表示セグメントとの間の配線抵抗について示す図である。
【図７】発色時及び消色時に、定電流印加回路から表示セグメントに印加される電流及びこの電流によって発生する電圧の変化を示すタイミングチャートである。
【図８】追加の消色の際に印加される定電流について示す図である。
【図９】図７と同様にして発色を行った後、自然消色が顕著に見られる程度の時間経過した後に、消色を行ったときの電流と電圧の変化を示したタイミングチャートである。
【図１０】基準値電圧Ｖｂの設定手法について説明するための図である。
【図１１】消色の度に基準値電圧を設定する場合の処理について示すフローチャートである。
【図１２】第２の実施形態に係る表示駆動装置が適用されたエレクトロクロミック表示装置の構成を示すブロック図である。
【図１３】第２の実施形態に係る表示駆動装置による発色時及び消色時の電流及び電圧の変化を示すタイミングチャートである。
【符号の説明】
【００６２】
１０…表示パネル
１０−１〜１０−７…表示セグメント
１０−１１，１０−１２…電極
１０−１３…電解液
１０−１４…封止材
１０−１５…ガラス基板
２０…定電流印加回路
２０−１…発色パルス発生器
２０−２…消色パルス発生器
２０−３…定電流ドライバ
２０−４…電圧検出回路
２０−５…電流検出回路
２０−２１…パルス幅レジスタ
２０−２２…電流値レジスタ
２０−２３…ＤＡコンバータ
２０−２４…ダウンカウンタ
２０−２５…アナログスイッチ
２０−３１，２０−３４…演算増幅器
２０−３２，２０−３５…ＭＯＳトランジスタ
２０−３３，２０−３６…抵抗
３０…セグメントプロファイルメモリ
４０…システムインターフェース
【図１】
2007286570.tif 000003
【図２】
2007286570.tif 000004
【図３】
2007286570.tif 000005
【図４】
2007286570.tif 000006
【図５】
2007286570.tif 000007
【図６】
2007286570.tif 000008
【図７】
2007286570.tif 000009
【図８】
2007286570.tif 000010
【図９】
2007286570.tif 000011
【図１０】
2007286570.tif 000012
【図１１】
2007286570.tif 000013
【図１２】
2007286570.tif 000014
【図１３】
2007286570.tif 000015